(57)【特許請求の範囲】
【請求項１】
堰を形成するウォーターフェンス本体部と、
前記ウォーターフェンス本体部の底面と設置面との間の水を吸い取る吸水装置とを備え、
前記吸水装置は、前記ウォーターフェンス本体部に内蔵されている、ウォーターフェンス。
【請求項２】
前記ウォーターフェンス本体部の内側の前記吸水装置の近傍には、前記吸水装置により吸い取られる水の水路が形成されている、請求項１に記載のウォーターフェンス。
【請求項３】
前記吸水装置は、前記ウォーターフェンス本体部の底面から水を吸い取り、前記ウォーターフェンス本体部の上部から水を排出するように構成されている、請求項１または２に記載のウォーターフェンス。
【請求項４】
前記ウォーターフェンス本体部に内蔵された前記吸水装置に電力を供給するバッテリと、
前記バッテリを充電する太陽光発電装置とをさらに備える、請求項１〜３のいずれか１項に記載のウォーターフェンス。
【請求項５】
前記ウォーターフェンス本体部の底面に配置され、前記ウォーターフェンス本体部の設置面への設置性を向上させる設置力増強部材をさらに備え、
前記吸水装置は、前記設置力増強部材に囲まれた領域の水を吸い取るように構成されている、請求項１〜４のいずれか１項に記載のウォーターフェンス。
【請求項６】
前記ウォーターフェンス本体部に設けられ、設置面から所定の高さに配置された水検知部をさらに備え、
前記吸水装置は、前記水検知部の検知結果に基づいて、駆動が制御されるように構成されている、請求項１〜５のいずれか１項に記載のウォーターフェンス。
【請求項７】
前記水検知部は、少なくとも前記ウォーターフェンス本体部の前面側に設けられている、請求項６に記載のウォーターフェンス。
【発明の詳細な説明】
【技術分野】
【０００１】
この発明は、ウォーターフェンスに関する。
【背景技術】
【０００２】
従来、浸水を抑制するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、注水した袋体からなる水嚢を地面に設置して浸水を防ぐという構造であるため、水をある程度止めることができるものの、浸水しようとする水を排出することはできないという不都合がある。このため、浸水を効果的に抑制することが困難であるという問題点がある。
【０００６】
この発明は、上記のような課題を解決するためになされたものであり、この発明の１つの目的は、浸水を効果的に抑制することが可能なウォーターフェンスを提供することである。
【課題を解決するための手段】
【０００７】
この発明の一の局面によるウォーターフェンスは、堰を形成するウォーターフェンス本体部と、ウォーターフェンス本体部の底面と設置面との間の水を吸い取る吸水装置とを備え、吸水装置は、ウォーターフェンス本体部に内蔵されている。
【０００８】
この発明の一の局面によるウォーターフェンスでは、上記のように、ウォーターフェンス本体部の底面と設置面との間の水を吸い取る吸水装置を、ウォーターフェンス本体部に内蔵する。これにより、ウォーターフェンス本体部により、押し寄せる水を止めるとともに、吸水装置により、浸水しようとする水を排出することができるので、浸水を効果的に抑制することができる。また、ウォーターフェンス本体部に吸水装置を内蔵することにより、ウォーターフェンス本体部の外側に吸水装置を配置する場合と比べて、ウォーターフェンスの設置面積を小さくすることができるとともに、吸水装置を含めたウォーターフェンス全体のコンパクト化を図ることができる。
【０００９】
上記一の局面によるウォーターフェンスにおいて、好ましくは、ウォーターフェンス本体部の内側の吸水装置の近傍には、吸水装置により吸い取られる水の水路が形成されている。このように構成すれば、吸水装置により吸い取られた水を、ウォーターフェンス本体部の内側に設けられた水路を介して容易に排出することができる。
【００１０】
上記一の局面によるウォーターフェンスにおいて、好ましくは、吸水装置は、ウォーターフェンス本体部の底面から水を吸い取り、ウォーターフェンス本体部の上部から水を排出するように構成されている。このように構成すれば、ウォーターフェンス本体部の底面から水を取り除くことができるので、浸水をより効果的に抑制することができる。また、ウォーターフェンス本体部の上部に排出する水を送る途中で、水により吸水装置の駆動部（発熱部）を冷却することができるので、吸水装置を安定して駆動させることができる。
【００１１】
上記一の局面によるウォーターフェンスにおいて、好ましくは、ウォーターフェンス本体部に内蔵された吸水装置に電力を供給するバッテリと、バッテリを充電する太陽光発電装置とをさらに備える。このように構成すれば、浸水などの影響により停電した場合でも、吸水装置を駆動させることができるので、浸水をより効果的に抑制することができる。また、商用電源に接続しなくても吸水装置を駆動させることができるので、商用電源の電力の供給が困難である場所でもウォーターフェンスを設置することができる。
【００１２】
上記一の局面によるウォーターフェンスにおいて、好ましくは、ウォーターフェンス本体部の底面に配置され、ウォーターフェンス本体部の設置面への設置性を向上させる設置力増強部材をさらに備え、吸水装置は、設置力増強部材に囲まれた領域の水を吸い取るように構成されている。このように構成すれば、設置力増強部材により、凹凸のある設置面に対しての設置性や水密性を向上させることができるので、安定してウォーターフェンスを設置することができる。その結果、ウォーターフェンス本体部の下方からの浸水を効果的に抑制することができる。また、吸水装置によりウォーターフェンス本体部の底面の設置力増強部材に囲まれた領域の水を空気とともに吸い取ることによって、ウォーターフェンス本体部の底面と設置面との間に負圧を発生させることができる。これにより、設置力増強部材を地面へ吸着させて、ウォーターフェンスを地面に対して安定して設置することができる。
【００１３】
上記一の局面によるウォーターフェンスにおいて、好ましくは、ウォーターフェンス本体部に設けられ、設置面から所定の高さに配置された水検知部をさらに備え、吸水装置は、水検知部の検知結果に基づいて、駆動が制御されるように構成されている。このように構成すれば、水検知部の検知結果に基づいて、水が押し寄せた場合に自動的に吸水装置を駆動させることができるので、迅速に浸水に対応することができる。これにより、浸水をより効果的に抑制することができる。また、水がない場合に吸水装置を停止させることができるので、吸水装置の空運転を防止することができる。
【００１４】
この場合、好ましくは、水検知部は、少なくともウォーターフェンス本体部の前面側に設けられている。このように構成すれば、ウォーターフェンス本体部の前面側に押し寄せる水を迅速に検知することができるので、吸水装置を駆動させることにより、背面側に水が侵入するのを効果的に抑制することができる。
【発明の効果】
【００１５】
本発明によれば、上記のように、浸水を効果的に抑制することができる。
【図面の簡単な説明】
【００１６】
【図１】本発明の一実施形態によるウォーターフェンスを示した概略図である。
【図２】本発明の一実施形態によるウォーターフェンスを下方から見た斜視図である。
【図３】本発明の一実施形態によるウォーターフェンス本体部を下方から見た斜視図である。
【図４】本発明の一実施形態によるウォーターフェンスの分解斜視図である。
【図５】本発明の一実施形態によるウォーターフェンスを示した断面図である。
【図６】本発明の一実施形態によるウォーターフェンスの設置力増強部材の特性を示した表である。
【図７】本発明の一実施形態によるウォーターフェンスの第１設置力増強部材の特性を示した表である。
【図８】本発明の一実施形態によるウォーターフェンスにシートを設置した使用例を示した斜視図である。
【図９】本発明の一実施形態の変形例によるウォーターフェンスを示した断面図である。
【発明を実施するための形態】
【００１７】
以下、本発明の実施形態を図面に基づいて説明する。
【００１８】
（ウォーターフェンスの構成）
図１〜図８を参照して、本発明の一実施形態について説明する。本実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２とを備えている。また、ウォーターフェンス１００は、自吸機能を有した自吸ポンプ（以下「ポンプ」と称す）３（図５参照）を備えている。また、ポンプ３は、急な増水に対しても信頼性の高い水没使用が可能な防水構造を有するポンプとすることが望ましい。また、ウォーターフェンス１００は、前面（Ｙ２方向側）および背面（Ｙ１方向側）にそれぞれ配置された水検知部４を備えている。ウォーターフェンス本体部１には、重りとしてペットボトル５が配置されている。ウォーターフェンス１００は、ポンプ３に電力を供給するバッテリ６と、バッテリ６に接続された太陽光発電装置７とを備えている。なお、ポンプ３は、特許請求の範囲の「吸水装置」の一例である。
【００１９】
ウォーターフェンス本体部１は、第１部材１１と、第２部材１２と、連結部材１３とを含んでいる。第１部材１１は、排水口部１１１と、吸水口部１１２（図３参照）と、溝部１１３（図３参照）と、連結用係合部１１４（図４参照）と、嵌合部１１５（図４参照）と、水路１１６（図５参照）とを有している。第２部材１２は、重り取付部１２１（図１参照）と、溝部１２２（図３参照）と、連結用係合部１２３（図４参照）と、嵌合部１２４（図４参照）とを有している。
【００２０】
設置力増強部材２は、図２および図４に示すように、第１設置力増強部材２１と、第２設置力増強部材２２とを含んでいる。
【００２１】
ポンプ３は、図５に示すように、モータ３１と、回転軸３２と、羽根車３３と、ポンプ室３４と、オイル室３５と、メカニカルシール３６と、シール３７と、制御部３８とを備えている。また、ポンプ３は、回転軸３２が上下方向に延びる縦型のポンプである。
【００２２】
ウォーターフェンス本体部１は、浸水を防止するための堰を形成している。具体的には、ウォーターフェンス本体部１は、図１に示すように、第１部材１１のＸ方向の両端に、それぞれ、第２部材１２が連結されている。つまり、ウォーターフェンス本体部１は、複数に分割可能に構成されている。第１部材１１と第２部材１２とは、ゴム製の連結部材１３により互いに連結されている。詳しくは、図４に示すように、第１部材１１の連結用係合部１１４と、第２部材１２の連結用係合部１２３とが隣接して配置された状態で、連結部材１３が、連結用係合部１１４および連結用係合部１２３の両方に係合している。連結部材１３は、第１部材１１および第２部材１２の側面（Ｙ１方向側およびＹ２方向側の側面）と、上面（Ｚ１方向側の面）とに跨って係合するように構成されている。
【００２３】
第１部材１１は、水を透過させない素材により形成されている。第１部材１１は、たとえば、ゴムや樹脂或いは金属などにより形成されている。第１部材１１の排水口部１１１は、ポンプ３により吸水した水を排出するように構成されている。また、排水口部１１１は、ホースなどの管を取り付け可能に構成されている。図５に示すように、排水口部１１１は、ウォーターフェンス本体部１の底面１ａ側（Ｚ２方向側）に設けられた吸水口部１１２と連通している。つまり、ウォーターフェンス本体部１の底面１ａと設置面との間の水が、ウォーターフェンス本体部１に内蔵されたポンプ３により吸水口部１１２から吸い取られて、排水口部１１１から排水される。
【００２４】
吸水口部１１２は、ポンプ３に接続されている。吸水口部１１２は、スリットや突起やバースクリーン等を設けるように端面部が凹凸状に形成されている。これにより、吸水口部１１２端部の周方向から吸水することが可能になるので、吸水口部１１２が地面に接したとしてもスリットや、突起やバースクリーンの隙間から吸水することが可能である。つまり、第２設置力増強部材２２がウォーターフェンス本体部１から、たとえば数ｍｍ程度出るように取り付けられた場合、吸水口部１１２も同様にウォーターフェンス本体部１から数ｍｍ程度出る長さにまで構成することが可能である。また、バースクリーンの隙間から吸水することにより、異物の混入を抑制することができるので、ポンプ３に異物が吸い込まれるのを抑制することが可能である。
【００２５】
図３に示すように、第１部材１１の下面側（Ｚ２方向側）には、溝部１１３が設けられている。溝部１１３には、設置力増強部材２が嵌り込むように配置される。また、溝部１１３は、吸水口部１１２をＹ方向に挟み込むように、一対設けられている。また、溝部１１３は、第１部材１１に連結される第２部材１２の溝部１２２とつながるように形成されている。
【００２６】
図４に示すように、第１部材１１の底面部（Ｚ２方向側部）には、第２部材１２側に凸状に突出する嵌合部１１５が設けられている。嵌合部１１５は、第２部材１２の嵌合部１２４に嵌合するように構成されている。また、嵌合部１１５は、平面視において（Ｚ方向から見て）、第２部材１２とオーバーラップするように配置されている。つまり、嵌合部１１５は、第１部材１１および第２部材１２を底面を上にして組立てた場合に、図３に示すように、第２部材１２に覆いかぶさるように、嵌合部１２４に嵌合する。
【００２７】
図５に示すように、第１部材１１の内側のポンプ３の近傍には、ポンプ３により吸い取られる水の水路１１６が形成されている。水路１１６は、ポンプ３と排水口部１１１とを接続している。水路１１６は、ポンプ３の下部から吐出された水を、上部の排水口部１１１に導くように構成されている。つまり、水路１１６は、上下方向（Ｚ方向）に延びるように形成されている。また、水路１１６は、ポンプ３の側面に接するように形成されている。
【００２８】
図１に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、発泡スチロールやゴムや樹脂或いは金属などにより形成されている。第２部材１２の重り取付部１２１には、重りとしてのペットボトル５が取り付けられるように構成されている。第２部材１２の重り取付部１２１にペットボトル５が取り付けられることによりウォーターフェンス１００に加わる荷重を増すことが可能なように構成されている。なお、重り取付部１２１に、水、石、砂、土などを入れて重りとしてもよい。
【００２９】
図３に示すように、第２部材１２の下面側（Ｚ２方向側）には、溝部１２２が設けられている。溝部１２２には、設置力増強部材２が嵌り込むように配置される。また、溝部１２２は、略Ｕ字形状に形成されている。また、溝部１２２は、第２部材１２に連結される第１部材１１の溝部１１３とつながるように形成されている。つまり、第１部材１１の溝部１１３と、第２部材１２の溝部１２２とが連結されて、長方形のロ字形状の溝部が形成される。
【００３０】
図４に示すように、第２部材１２の底面部（Ｚ２方向側部）には、第１部材１１の嵌合部１１５が嵌合する嵌合部１２４が設けられている。具体的には、嵌合部１２４は、凹状に形成されており、凸状の嵌合部１１５が嵌合するように構成されている。嵌合部１１５および嵌合部１２４が嵌合することにより、第１部材１１および第２部材１２を組み立てる際に、第１部材１１および第２部材１２がＹ方向およびＺ方向にずれることを抑制することができるとともに、第１部材１１の向きと第２部材１２の向きとを間違えることなく容易に位置決めを行うことができるので、組み立て作業を容易に行うことが可能である。
【００３１】
図２に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３２】
具体的には、設置力増強部材２は、ウォーターフェンス本体部１の自重と、ポンプ３が吸水することにより生じる負圧とにより、水の透過率が所定の値となることにより、ウォーターフェンス本体部１の底面１ａと設置面との間に外部からの水を所定量透過させてポンプ３の自吸水を確保するように構成されている。
【００３３】
図４に示すように、設置力増強部材２は、第１設置力増強部材２１と、第２設置力増強部材２２とが積層されている。第１設置力増強部材２１は、設置面側（Ｚ２方向側）に配置されている。第２設置力増強部材２２は、ウォーターフェンス本体部１側に配置されている。第１設置力増強部材２１および第２設置力増強部材２２は、接着層（接着剤や接着テープなど）を介して貼り合わされている。
【００３４】
第１設置力増強部材２１は、半連続気泡構造を有しており、圧縮変形されることにより水の透過率が変化するように構成されている。第１設置力増強部材２１は、たとえば、半連続気泡構造の気孔率５０％〜６０％程度のやわらかいスポンジにより形成されている。また、第１設置力増強部材２１は、半連続気泡構造のスポンジが圧縮されることによりスポンジの孔が小さくなり、水の透過率が変わるように構成されている。ポンプ３が駆動された場合、半連続気泡構造のスポンジは５０〜８０％程度圧縮されることが望ましい。
【００３５】
第１設置力増強部材２１は、ウォーターフェンス本体部１の自重と、重り収容部１２１に取り付けられたペットボトル５の重さと、ポンプ３の吸引力によって生じる負圧とにより圧縮されるように構成されている。また、ポンプ３は設置力増強部材２を透過した水を、設置面内側の空間の空気と共に吸引するように構成されている。つまり、第１設置力増強部材２１により吸水された水が吸水口部１１２を介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００３６】
また、ポンプ３により、設置力増強部材２を透過した水を、設置面内側の空間の空気と共に吸引することにより、ウォーターフェンス本体部１と設置面との間の空間の真空度が上げられる。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００３７】
第２設置力増強部材２２は、第１設置力増強部材２１よりも硬い材料により形成されている。第２設置力増強部材２２は、たとえば、硬質のスポンジ材やゴム材により形成されている。第２設置力増強部材２２は、ウォーターフェンス本体部１の自重やポンプ３の吸引力による負圧によって圧縮されない程度の硬さを有する。また、第２設置力増強部材２２は、ウォーターフェンス本体部１の底面１ａに、ウォーターフェンス本体部１から、たとえば数ｍｍ程度出るように取り付けられている。その結果、点字ブロックなどの設置面の凸部がウォーターフェンス本体部１に直接当たることに起因してウォーターフェンス本体部１が傾いて設置されるのを抑制することが可能である。これにより、吸水口部１１２が吸水面から離脱して空気中に配置されるのを抑制することができるので、ポンプ３が空運転するのを効果的に抑制することが可能である。
【００３８】
また、第２設置力増強部材２２は、は、ウォーターフェンス本体部１の底面１ａの溝部１１３および１２２の幅より若干大きい幅を有するように形成されている。これにより、第２設置力増強部材２２は、溝部１１３および１２２に圧入されることによりウォーターフェンス本体部１の底面１ａに取り付けられるように構成されている。その結果、設置力増強部材２が経年劣化などにより交換が必要となった場合でも容易に取替えることが可能である。
【００３９】
ここで、本実施形態では、ポンプ３は、ウォーターフェンス本体部１（第１部材１１）に内蔵されている。また、ポンプ３は、ウォーターフェンス本体部１の底面１ａと設置面との間の水を吸い取るように構成されている。具体的には、ポンプ３は、ウォーターフェンス本体部１の底面１ａから水を吸い取り、ウォーターフェンス本体部１の上部から水を排出するように構成されている。また、ポンプ３は、設置力増強部材２に囲まれた領域の水を吸い取るように構成されている。また、ポンプ３は、水深が浅い水を吸水可能に構成されている。よって、ポンプ３は、設置面とウォーターフェンス本体部１の底面１ａとの間に浸水した少量の水を効果的に排水することができる。
【００４０】
図５に示すように、ポンプ３のモータ３１は、固定子３１１と、回転子３１２とを含んでいる。モータ３１は、外部からの水が浸入しないように、密閉されている。また、モータ３１は、羽根車３３（回転軸３２）を回転駆動させるように構成されている。
【００４１】
固定子３１１は、コイルを有する。また、固定子３１１は、モータ３１の外周部に配置されている。また、ケーブル３ａより固定子３１１のコイルに電力が供給されることにより、磁界を発生させるように構成されている。回転子３１２は、固定子３１１と対向するようにモータ３１の内側に配置されている。また、回転子３１２は、回転軸３２に取り付けられている。また、回転子３１２は、固定子３１１からの磁界により回転するように構成されている。
【００４２】
回転軸３２は、モータ３１の駆動により回転するように構成されている。また、回転軸３２は、モータ３１の駆動を羽根車３３に伝達するように構成されている。また、回転軸３２は、平面視において（上方から見た場合に）、時計回り（右回り）に回転するように構成されている。また、回転軸３２は、ベアリング３２１および３２２により回転可能に支持されている。また、回転軸３２のポンプ室３４側端部には、羽根車３３が取り付けられている。
【００４３】
羽根車３３は、ポンプ室３４内に配置されている。また、羽根車３３は、回転駆動することにより、水に速度エネルギーを与える。そして、ポンプ室３４内にて水の速度エネルギーが圧力エネルギーに変換されることによって、水に圧力が作用されて送られるように構成されている。つまり、羽根車３３の回転駆動により、ポンプ室３４の吸水口３４１から水が吸い上げられて、吐出口３４２から吸い上げられた水が吐出される。吸水口３４１は、吸水口部１１２と連通している。吐出口３４２は、排水口部１１１と連通している。
【００４４】
オイル室３５は、モータ３１およびポンプ室３４の間に配置されており、オイル室３５には、オイルが充填されている。また、オイル室３５の回転軸３２の周りには、オイルリフター３５１が設けられている。また、オイル室３５内には、摺動部を有するメカニカルシール３６が設けられており、オイル室３５に充填されたオイルによってメカニカルシール３６の摺動部が潤滑されるとともに、摺動部が焼きつかないように冷却されるように構成されている。
【００４５】
オイルリフター３５１は、回転軸３２の周りに筒状に設けられている。オイルリフター３５１は、回転軸３２の回転に伴い移動するオイルを上方向に持ち上げるように構成されている。つまり、オイルリフター３５１は、メカニカルシール３６の上側の摺動部にオイルを供給するように構成されている。
【００４６】
オイル室３５の上部（モータ３１側）には、シール３７が設けられている。シール３７は、たとえば、オイルシールやシールリップまたは回転軸３２と摺動するリップ部に傾斜リブや溝などの負荷側に推力発生する機構を有したシールが用いられる。
【００４７】
制御部３８は、モータ３１の上側（Ｚ１方向側）に設けられている。制御部３８は、モータ３１の駆動を制御するように構成されている。制御部３８は、水検知部４の検知結果に基づいて、ポンプ３の駆動を制御するように構成されている。具体的には、制御部３８は、水検知部４により、所定の水位以上の水を検知した場合に、ポンプ３を駆動させるように構成されている。
【００４８】
水検知部４は、図１に示すように、ウォーターフェンス本体部１に設けられている。また、水検知部４は、ウォーターフェンス本体部１の設置面から所定の高さに配置されている。具体的には、水検知部４は、図５に示すように、高さ方向（Ｚ方向）において、第１設置力増強部材２１と第２設置力増強部材２２との境界付近以上の水を検知するように配置されている。また、水検知部４は、一対の電極を含む。そして、水検知部４は、一対の電極間の通電を検知することにより、所定の水位以上の水を検知するように構成されている。また、水検知部４は、有線または無線により制御部３８に信号を送信可能に接続されている。
【００４９】
水検知部４は、図５に示すように、ウォーターフェンス本体部１の前面側（Ｙ２方向側）および背面側（Ｙ１方向側）の両方に配置されている。ウォーターフェンス本体部１の前面側の水検知部４は、ウォーターフェンス本体部１に水が押し寄せた場合に、速やかに水を検知するために設けられている。ウォーターフェンス本体部１の背面側の水検知部４は、ウォーターフェンス本体部１に押し寄せた水が背面側に回り込んだことを検知するために設けられている。
【００５０】
図１に示すように、バッテリ６は、ウォーターフェンス本体部１に内蔵されたポンプ３にケーブル３ａを介して電力を供給可能に構成されている。バッテリ６は、たとえば、リチウムイオン電池や、鉛蓄電池などの二次電池を含んでいる。つまり、バッテリ６は充電可能に構成されている。また、バッテリ６は、太陽光発電装置７による発電によって、充電されるように構成されている。なお、バッテリ６は、商用電源からの電力の供給により充電されてもよい。また、バッテリ６は、ウォーターフェンス本体部１とは別体で設けられている。
【００５１】
太陽光発電装置７は、太陽光により発電するように構成されている。太陽光発電装置７は、バッテリ６に接続されており、発電した電力をバッテリ６に送るように構成されている。また、太陽光発電装置７は、ウォーターフェンス本体部１とは別体で設けられている。
【００５２】
図６を参照して、設置力増強部材２（第１設置力増強部材２１および第２設置力増強部材２２）の特性の一例について説明する。
【００５３】
図６に示すように、第１設置力増強部材２１は、たとえば、見掛け密度が１１０ｋｇ／ｍ3であり、引張強さが８０ｋＰａであり、伸びが４５０％である。また、第１設置力増強部材２１は、圧縮硬さが、圧縮率が２５％の場合、３．３ｋＰａであり、圧縮率が５０％の場合、４．５ｋＰａである。第２設置力増強部材２２は、見掛け密度が１１０ｋｇ／ｍ3であり、引張強さが１４８０ｋＰａであり、伸びが１２０％である。また、第２設置力増強部材２２は、たとえば、圧縮硬さが、圧縮率が２５％の場合、２７５ｋＰａであり、圧縮率が５０％の場合、４００ｋＰａである。つまり、第１設置力増強部材２１よりも第２設置力増強部材２２の方が硬い材料により形成されている。
【００５４】
図７を参照して、第１設置力増強部材２１の特性（水透過）の一例について説明する。
【００５５】
図７に示すように、水透過について、第１設置力増強部材２１は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、第１設置力増強部材２１は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、第１設置力増強部材２１は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００５６】
第１設置力増強部材２１に用いる気孔率５０％〜６０％程度の半連続気泡構造のやわらかいスポンジは、図７に示す一例のように、圧縮率に応じた透過率となる。また、第１設置力増強部材２１は、５０％以上８０％以下の圧縮率になるように圧縮抑制することにより、半連続気泡構造のスポンジを透過する水量をポンプ３の呼び水として適度な透過水量に抑えることが可能である。また、第１設置力増強部材２１（スポンジ）を透過した水をポンプ３で排水するのでウォーターフェンス本体部１を越えて浸水させないようにすることが可能である。つまり、ポンプ３を駆動させた場合に、第１設置力増強部材２１の圧縮率が５０％以上８０％以下になることが好ましい。
【００５７】
（シートを設置した使用例）
図８を参照して、ウォーターフェンス本体部１をシート８により覆った状態の使用例について説明する。
【００５８】
図８に示すように、ウォーターフェンス１００は、シート８を備える。シート８は、ウォーターフェンス本体部１を覆うように配置されている。また、シート８は、ウォーターフェンス本体部１の背面側（Ｙ１方向側）のたとえば、柱１０や壁或いは扉（図示せず）などに取り付けられている。シート８は、水を透過させない素材により形成されている。たとえば、シート８は、ポリ塩化ビニルにより形成されている。
【００５９】
シート８をウォーターフェンス本体部１を覆うように設置することにより、ウォーターフェンス本体部１の背面（Ｙ１方向側）に回り込む水をせき止めながら、ポンプ３により排水を行うことが可能に構成されている。また、シート８をウォーターフェンス本体部１の背面側（Ｙ１方向側）を高く覆うように設置することにより、ウォーターフェンス本体部１の背面に回り込む水をせき止めながら、ポンプ３により排水を行うことが可能に構成されている。
【００６０】
シート８の前面側（Ｙ２方向側）は、設置面に対してわずかに離間して配置されている。つまり、シート８に覆われたウォーターフェンス本体部１の前面側（Ｙ２方向側）の設置面近傍における設置力増強部材２は、露出している。
【００６１】
シート８は、ウォーターフェンス本体部１の柱１０側（建物側）に水溜まり部８ａが形成されるように配置される。具体的には、シート８をウォーターフェンス本体部１に沿うように覆い、柱１０側の設置面と扉を含めた建物側面に沿って配置するとともに、柱１０や壁或いは扉（図示せず）などに沿って上下方向（Ｚ方向）に延びるように配置する。このようにシート８を配置することにより、ウォーターフェンス本体部１を越える急な増水の水位の水が押し寄せたとしても、ウォーターフェンス本体部１を越えた水を水溜まり部８ａで受けることができるので、扉を含めた建物内への浸水をより一層効果的にせき止めることができる。また、水溜まり部８ａに溜まった水により、シート８を設置面と扉を含めた建物側面に対して密着させることが可能である。つまり、シート８は設置面と扉を含めた建物側面に対するフィッティング性に優れるので、凹凸のある地面や扉を含めた建物側面に対しても確実に密着させることが可能である。これにより、シート８を越えて浸水することや、ウォーターフェンス１００の背面への水の回り込みをより一層効果的に防ぐことが可能である。
【００６２】
（実施形態の効果）
本実施形態では、以下のような効果を得ることができる。
【００６３】
本実施形態では、上記のように、ウォーターフェンス本体部１の底面１ａと設置面との間の水を吸い取るポンプ３を、ウォーターフェンス本体部１に内蔵する。これにより、ウォーターフェンス本体部１により、押し寄せる水を止めるとともに、ポンプ３により、浸水しようとする水を排出することができるので、浸水を効果的に抑制することができる。また、ウォーターフェンス本体部１にポンプ３を内蔵することにより、ウォーターフェンス本体部１の外側にポンプ３を配置する場合と比べて、ウォーターフェンス１００の設置面積を小さくすることができるとともに、ポンプ３を含めたウォーターフェンス１００全体のコンパクト化を図ることができる。
【００６４】
また、本実施形態では、上記のように、ウォーターフェンス本体部１の内側のポンプ３の近傍に、ポンプ３により吸い取られる水の水路１１６を形成する。これにより、ポンプ３により吸い取られた水を、ウォーターフェンス本体部１の内側に設けられた水路１１６を介して容易に排出することができる。
【００６５】
また、本実施形態では、上記のように、ポンプ３を、ウォーターフェンス本体部１の底面１ａから水を吸い取り、ウォーターフェンス本体部１の上部から水を排出するように構成する。これにより、ウォーターフェンス本体部１の底面１ａから水を取り除くことができるので、浸水をより効果的に抑制することができる。また、ウォーターフェンス本体部１の上部に排出する水を送る途中で、水によりポンプ３の駆動部（発熱部）を冷却することができるので、ポンプ３を安定して駆動させることができる。
【００６６】
また、本実施形態では、上記のように、ウォーターフェンス本体部１に内蔵されたポンプ３に電力を供給するバッテリ６と、バッテリ６を充電する太陽光発電装置７とを設ける。これにより、浸水などの影響により停電した場合でも、ポンプ３を駆動させることができるので、浸水をより効果的に抑制することができる。また、商用電源に接続しなくてもポンプ３を駆動させることができるので、商用電源の電力の供給が困難である場所でもウォーターフェンス１００を設置することができる。
【００６７】
また、本実施形態では、上記のように、ウォーターフェンス本体部１の底面１ａに配置され、ウォーターフェンス本体部１の設置面への設置性を向上させる設置力増強部材２を設ける。そして、ポンプ３を、設置力増強部材２に囲まれた領域の水を吸い取るように構成する。これにより、設置力増強部材２により、凹凸のある設置面に対しての設置性や水密性を向上させることができるので、安定してウォーターフェンス１００を設置することができる。その結果、ウォーターフェンス本体部１の下方からの浸水を効果的に抑制することができる。また、ポンプ３によりウォーターフェンス本体部１の底面１ａの設置力増強部材２に囲まれた領域の水を吸い取ることによって、ウォーターフェンス本体部１の底面１ａと設置面との間に負圧を発生させることができる。これにより、ウォーターフェンス本体部１が設置面に対してずれるのを抑制することができる。
【００６８】
また、本実施形態では、上記のように、ウォーターフェンス本体部１の設置面から所定の高さに配置された水検知部４を設ける。そして、ポンプ３を、水検知部４の検知結果に基づいて、駆動が制御されるように構成する。これにより、水検知部４の検知結果に基づいて、水が押し寄せた場合に自動的にポンプ３を駆動させることができるので、迅速に浸水に対応することができる。これにより、浸水をより効果的に抑制することができる。また、水がない場合にポンプ３を停止させることができるので、ポンプ３の空運転を防止することができる。
【００６９】
また、本実施形態では、上記のように、水検知部４を、ウォーターフェンス本体部１の前面側（Ｙ２方向側）に設ける。これにより、ウォーターフェンス本体部１の前面側に押し寄せる水を迅速に検知することができるので、ポンプ３を駆動させることにより、背面側（Ｙ１方向側）に水が侵入するのを効果的に抑制することができる。
【００７０】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７１】
たとえば、上記実施形態では、バッテリとウォーターフェンス本体部とを別体で設ける構成の例を示したが、本発明はこれに限らない。本発明では、バッテリをウォーターフェンス本体部に設けてもよい。たとえば、図９に示す一実施形態の変形例のウォーターフェンス２００のように、バッテリ３９をポンプ３に内蔵してもよい。
【００７２】
また、上記実施形態では、ポンプ（吸水装置）として、回転軸が垂直方向に延びるように配置された縦型のポンプを用いる例を示したが、本発明はこれに限らない。本発明では、吸水装置として、回転軸が水平方向に延びるように配置された横型のポンプを用いてもよい。
【００７３】
また、上記実施形態では、ウォーターフェンスが直線的に形成されている構成の例を示したが、本発明はこれに限らない。本発明では、ウォーターフェンスが折れ曲がるように形成されていてもよい。
【００７４】
また、上記実施形態では、バッテリからポンプ（吸水装置）に電力が供給されて駆動される構成の例を示したが、本発明はこれに限らない。本発明では、吸水装置に接続されたプラグをコンセントに差し込んで、吸水装置に電力を供給してもよい。
【００７５】
また、上記実施形態では、太陽光発電装置とウォーターフェンス本体部とを別体で設ける構成の例を示したが、本発明はこれに限らない。本発明では、太陽光発電装置をウォーターフェンス本体部に設けてもよい。たとえば、ウォーターフェンス本体部の上面や側面に太陽光発電装置を配置してもよい。
【００７６】
また、上記実施形態では、ウォーターフェンスに入れる重り部材としてペットボトルを用いた例を示したが、本発明はこれに限らない。本発明では、ペットボトル以外の部材を重り部材として用いてもよい。たとえば、バーベルや石などを重り部材として用いてもよい。
【００７７】
また、上記実施形態では、設置力増強部材が、第１設置力増強部材および第２設置力増強部材の２層により形成されている例を示したが、本発明はこれに限らない。本発明では、設置力増強部材を１層により形成してもよいし、３層以上により形成してもよい。
【００７８】
たとえば、設置力増強部材を１層により形成した場合、第１設置力増強部材２１を用いることが望ましい。また、設置力増強部材を、気孔率８０％〜９０％程度のスポンジ材により形成してもよい。また、設置力増強部材を、吸水率が大きい材料により形成してもよい。たとえば、設置力増強部材を、ＰＶＡ（ポリビニールアルコール）製のスポンジ材により形成してもよい。
【００７９】
また、上記実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【００８０】
また、上記実施形態では、水検知部をウォーターフェンス本体部の前面側および背面側の両方に設ける例を示したが、本発明はこれに限らない。本発明では、水検知部をウォーターフェンス本体部の前面側のみに設けてもよいし、水検知部をウォーターフェンス本体部の背面側のみに設けてもよい。
【符号の説明】
【００８１】
１  ウォーターフェンス本体部
２  設置力増強部材
３  ポンプ（吸水装置）
４  水検知部
６、３９  バッテリ
７  太陽光発電装置
１００  ウォーターフェンス
１１６  水路
【図１】
0006514121.tif 000002
【図２】
0006514121.tif 000003
【図３】
0006514121.tif 000004
【図４】
0006514121.tif 000005
【図５】
0006514121.tif 000006
【図６】
0006514121.tif 000007
【図７】
0006514121.tif 000008
【図８】
0006514121.tif 000009
【図９】
0006514121.tif 000010